(57)【特許請求の範囲】
【請求項１】
連結プレート部に可溶体部を介して連結された複数の端子部を備えたヒューズ回路体と、
外壁の一部に開口部を設けるとともに前記ヒューズ回路体を収容するハウジングと、を備えたヒュージブルリンクユニットにおいて、
前記ハウジング内に、前記開口部を通して前記ハウジング内に侵入する光を前記可溶体部に向かって反射する反射面が設けられ、前記反射面は、前記連結プレート部の一部であり、かつ前記連結プレート部に対して前記端子部から離れる方向に凹の曲面状に形成されていることを特徴とするヒュージブルリンクユニット。
【請求項２】
連結プレート部に可溶体部を介して連結された複数の端子部を備えたヒューズ回路体と、
外壁の一部に開口部を設けるとともに前記ヒューズ回路体を収容するハウジングと、を備えたヒュージブルリンクユニットにおいて、
前記ハウジング内に、前記開口部を通して前記ハウジング内に侵入する光を前記可溶体部に向かって反射する反射面が設けられ、前記反射面は、前記連結プレート部の一部であり、かつ前記連結プレート部に対して前記端子部に近づく方向に凸の曲面状に形成されていることを特徴とするヒュージブルリンクユニット。
【請求項３】
前記反射面は、前記可溶体部と交差する方向に当該可溶体部に連設されていることを特徴とする請求項１又は２記載のヒュージブルリンクユニット。
【請求項４】
透明な材料で形成されるとともに、前記ハウジングの前記開口部を塞ぐ蓋体を備えたことを特徴とする請求項１乃至３記載のヒュージブルリンクユニット。
【発明の詳細な説明】
【技術分野】
【０００１】
本発明は、例えば、導電性の板金により一体に形成されたヒューズ回路体と該ヒューズ回路体を収容したハウジングとを備えたヒュージブルリンクユニットに関する。
【背景技術】
【０００２】
従来から移動体としての自動車には、該自動車に搭載される各種の電子機器に過度な電流が供給されることを防止するために、各種のヒュージブルリンクユニット（例えば、特許文献１参照）が用いられている。
【０００３】
ヒュージブルリンクユニットは、連結プレート部と、前記連結プレート部に可溶体部を介して連結された複数の端子部と、を備えたヒューズ回路体と、前記ヒューズ回路体を収容するハウジングとを備えている。
【０００４】
前記連結プレート部は、平板部と該平板部の一方の縁に該平板部の幅方向の一側から直角に曲げられて突設した端子片を一体に備え、側方から見てく字状に形成されている。前記端子片には、バッテリやジェネレータなどの電源と接続する接続部が設けられている。
【０００５】
可溶体部は、平板部の他方の縁に連なっており、該平板部と同一平面上に配置されている。さらに、複数の可溶体部は、互いに間隔をあけて平行に配置されている。複数の端子部は、それぞれ、可溶体部の他方即ち連結プレート部から離れた側の縁に連なっている。端子部は、平板部と可溶体部との双方と同一平面上に配置されている。複数の端子部は、互いに間隔をあけて、平行に配置されている。それぞれの端子部には、前述した各種の電子機器が接続する。ハウジングは、絶縁性の合成樹脂で構成されており、縦長の箱状に形成されている。
【０００６】
前述したヒュージブルリンクユニットは、ハウジング内にヒューズ回路体を収容して組み立てられる。そして、ヒュージブルリンクユニットは、周知の電気接続箱に取り付けられて、該ヒューズ回路体の連結プレート部に電源が接続され、端子部に電子機器が接続される。こうして、ヒュージブルリンクユニットは、前述した自動車に搭載される。
【特許文献１】特開２００２−３５８８７０号公報
【発明の開示】
【発明が解決しようとする課題】
【０００７】
前述した特許文献１に記載されたヒュージブルリンクユニットは、ハウジングの外壁の一部に透明又は半透明の合成樹脂により形成された検査部を設け、ハウジング内の検査部寄りに可溶体部を配置し、可溶体部の溶断確認を外部から目視可能にしている。
【０００８】
しかしながら、前述した特許文献１に記載されたヒュージブルリンクユニットは、車体のエンジンルームやインストルメントパネルの奥まった暗所に配置されると、配置された場所が真上から確認できるとは限らず、さらに検査部が暗くて見ずらくなる（ボンネットのヒンジ付近では作業者が覗き込んで確認ができない。）。
【０００９】
また、複数のヒューズ回路体が検査部に直交する方向に積層配置されていると、検査部から離れて配置されたヒューズ回路体の連結プレート部が、検査部寄りに配置されたヒューズ回路体の可溶体部の影に配置されることとなり、検査部から離れて配置されたヒューズ回路体の可溶体部が見ずらくなる。このように、前述した従来のヒュージブルリンクユニットは、可溶体部が溶断したか否かを確認することが困難であった。
【００１０】
したがって、本発明の目的は、可溶体部を容易に目視可能とするヒュージブルリンクユニットを提供することにある。
【課題を解決するための手段】
【００１１】
前記課題を解決し目的を達成するために、請求項１に記載の本発明のヒュージブルリンクユニットは、連結プレート部に可溶体部を介して連結された複数の端子部を備えたヒューズ回路体と、外壁の一部に開口部を設けるとともに前記ヒューズ回路体を収容するハウジングと、を備えたヒュージブルリンクユニットにおいて、前記ハウジング内に、前記開口部を通して前記ハウジング内に侵入する光を前記可溶体部に向かって反射する反射面が設けられ、前記反射面は、前記連結プレート部の一部であり、かつ前記連結プレート部に対して前記端子部から離れる方向に凹の曲面状に形成されていることを特徴としている。
【００１３】
請求項２に記載の本発明のヒュージブルリンクユニットは、連結プレート部に可溶体部を介して連結された複数の端子部を備えたヒューズ回路体と、外壁の一部に開口部を設けるとともに前記ヒューズ回路体を収容するハウジングと、を備えたヒュージブルリンクユニットにおいて、前記ハウジング内に、前記開口部を通して前記ハウジング内に侵入する光を前記可溶体部に向かって反射する反射面が設けられ、前記反射面は、前記連結プレート部の一部であり、かつ前記連結プレート部に対して前記端子部に近づく方向に凸の曲面状に形成されていることを特徴としている。
【００１４】
請求項３に記載の本発明のヒュージブルリンクユニットは、請求項１又は２記載のヒュージブルリンクユニットにおいて、前記反射面は、前記可溶体部と交差する方向に当該可溶体部に連接されていることを特徴としている。
【００１５】
請求項４に記載の本発明のヒュージブルリンクユニットは、請求項１乃至３記載のヒュージブルリンクユニットにおいて、透明な材料で形成されるとともに、前記ハウジングの前記開口部を塞ぐ蓋体を備えたことを特徴としている。
【００１７】
請求項１に記載された本発明によれば、反射面が、連結プレート部の一部であるとともに該連結プレート部に対して端子部から離れる方向に凹の曲面状に形成されているので、開口部を通して侵入する光を可溶体部に反射させ、該可溶体部に集光させることができる。また、可溶体部の反射像を開口部へ反射させることができる。さらに、反射面が連結プレート部の一部であるので該反射面を別部材で設ける必要が無く、部品点数の増加を抑制することができる。
【００１８】
請求項２に記載された本発明によれば、反射面が、連結プレート部の一部であるとともに該連結プレート部に対して端子部に近づく方向に凸の曲面状に形成されているので、開口部を通して侵入する光を可溶体部に向かって反射させ、ハウジング内に当該光を拡散させることができる。また、可溶体部の反射像を反射面の凸部中央で拡大して開口部へ反射させることができる。さらに、反射面が連結プレート部の一部であるので該反射面を別部材で設ける必要が無く、部品点数の増加を抑制することができる。
【００１９】
請求項３に記載された本発明によれば、反射面が、可溶体部と交差する方向に当該可溶体部に連設されているので、反射面が可溶体部の近傍に配置されることにより、開口部を通してハウジング内に侵入する光を可溶体部に向かって確実に反射させることができる。また、可溶体部の反射像を開口部へ確実に反射させることができる。
【００２０】
請求項４に記載された本発明によれば、ハウジングの開口部を透明な材料で形成された蓋体で塞いでいるので、開口部を通してハウジング内に異物が侵入することを防止できる。また、蓋体が透明な材料で形成されているので、開口部を通して可溶体部を容易に目視できる。
【発明の効果】
【００２２】
以上説明したように請求項１に記載の本発明は、開口部を通して侵入する光を可溶体部に反射させ、該可溶体部に集光させることができることにより、ハウジング内の可溶体部を明るくすることで開口部を通して可溶体部を容易に目視することができる。また、可溶体部の反射像を開口部へ反射させることにより開口部を通して可溶体部を容易に目視することができる。よって、可溶体部を容易に目視できる。さらに反射面が連結プレート部の一部であるので該反射面を別部材で設ける必要が無く、部品点数の増加を抑制することができる。
【００２３】
請求項２に記載の本発明は、開口部を通して侵入する光を可溶体部に向かって反射させ、ハウジング内に当該光を拡散させることができることにより、ハウジング内の広い範囲を明るくすることで開口部を通して可溶体部を容易に目視することができる。また、可溶体部の反射像を反射面の凸部中央で拡大して開口部へ反射させることができることにより、開口部を通して可溶体部を容易に目視することができる。よって、開口部を通して可溶体部を容易に目視できる。さらに、反射面が連結プレート部の一部であるので該反射面を別部材で設ける必要が無く、部品点数の増加を抑制することができる。さらに可溶体部の放射熱を外部に反射させることにより、ヒューズ回路体全体の温度上昇を抑制することができる。
【００２４】
請求項３に記載の本発明は、開口部を通してハウジング内に侵入する光を可溶体部に向かって確実に反射させることができ、また、可溶体部の反射像を開口部へ確実に反射させることができる。よって、開口部を通して可溶体部を確実に目視できる。さらに、反射面が可溶体部の近傍に配置されるので、可溶体部の放射熱を確実に外部に反射させることにより、ヒューズ回路体全体の温度上昇をより一層抑制することができる。
【００２５】
請求項４に記載の本発明は、ハウジングの開口部を蓋体で塞ぐことにより、開口部を通してハウジング内に異物が侵入することを防止できる。また、蓋体が透明な材料で形成されているので、開口部を通して可溶体部を容易に目視することができる。よって、開口部を通して可溶体部を容易に目視できる。
【発明を実施するための最良の形態】
【００２６】
本発明の第１の実施形態にかかるヒュージブルリンクユニット１Ａを、図１乃至３を参照して説明する。
【００２７】
本発明のヒュージブルリンクユニット１Ａは、図２に示すように、連結プレート部２と、該連結プレート部２の一側に連なった可溶体部３と、該可溶体部３に連結された端子部４とを有し、該端子部４が可溶体部３を介して連結プレート部２に連結され構成されたヒューズ回路体６と、外壁の一部に開口部７ａを設けるとともにヒューズ回路体６が収容されるハウジング７と、を備えている。
【００２８】
ハウジング７は、図１及び図２に示すように、絶縁性の合成樹脂により略直方体状に形成されており、ハウジング７の上面と該上面と連なり、かつ直交した一方の側面とに亘って、ハウジング７の短手方向に向けてヒューズ回路体６が挿入される開口部７ａが形成されている。
【００２９】
ハウジング７内には、開口部７ａに連続した回路体収容室９が形成されており、該回路体収容室９の側方には、回路体収容室９に連続して端子支持部１０及びコネクタハウジング部１１が形成されている。そして、端子支持部１０及びコネクタハウジング部１１が、図１に示すように、ハウジング７の開口部７ａが形成された側面と相対する他方の側面に該ハウジング７の長手方向に並んで配置される。
【００３０】
そして、図２に示すように、ハウジング７内に開口部７ａよりハウジング７の短手方向に向けて二つのヒューズ回路体６が、端子部４を挿入先端として挿入されるようになっている。これにより、挿入された二つのヒューズ回路体６は、回路体収容室９内に並んで収容されて、ハウジング７の厚さ（端子部４に直交する）方向に積層配置される。
【００３１】
ヒューズ回路体６は、図示しない導電性の平板状のプレート材をプレス加工することにより一体に形成されており、連結プレート部２、可溶体部３及び端子部４が１枚のプレート材から一体に形成されている。
【００３２】
連結プレート部２は、図３に示すように、ヒューズ回路体６の複数の可溶体部３と端子部４に連結した共通端子部として構成されるとともにアース側のバスバープレートとして構成されている。連結プレート部２は、可溶体部３と端子部４とに連結されていない他側２ａが連結プレート部の短手方向にＵ字状に延設されたＵ字状部２ｂを備えている。
【００３３】
可溶体部３は、連結プレート部２の一側に連結されるとともに細幅でクランク状に形成されており、クランク形状の中途部には、低融点金属３ａが加締められて固定されている。そして、可溶体部３に、所定値以上の電流が流れると、その時の発熱で低融点金属３ａを加締めた可溶体部３が溶断するようになっている。
【００３４】
端子部４は、可溶体部３に連結され、可溶体部３と端子部４を１組として、１つのヒューズエレメント部５を構成している。ヒューズエレメント部５は、前述のように端子部４が可溶体部３を介して連結プレート部２に連結されてヒューズ回路体６を構成するようになっており、本実施形態の場合、図３に示すように、複数のヒューズエレメント部５が連結プレート部２の一側に長手方向に連鎖状に連結されて１つのヒューズ回路体６を構成している。
【００３５】
蓋体８Ａは、図２に示すように、ハウジング７に設けられた開口部７ａに装着されるようになっている。蓋体８Ａは、透明な材料で構成され、ハウジング７の開口部７ａを塞ぐように断面く字状に形成されている。この蓋体８Ａにより開口部７ａが塞がれるとともに、ハウジング７の内部の状態をハウジング７の外部から目視できるようになっている。
【００３６】
また、蓋体８Ａには、ハウジング７の厚さ（端子部４に直交する）方向に平行な側面に、ハウジング７内に突出する突部８１が設けられている。突部８１は、蓋体８Ａと一体に形成されている。突部８１には、図２に示すように、ハウジング７の厚さ（端子部４に直交する）方向に平行な蓋体８Ａの側面に対して、一端が当該側面から離れる方向に、他端が当該側面に近づく方向に傾斜した傾斜面８２が設けられている。
【００３７】
傾斜面８２は、突部８１のハウジング７内側の側面に設けられている。傾斜面８２は、表面が蒸着メッキ処理などが施されて鏡面化されている。そして、傾斜面８２は、開口部７ａを通してハウジング７内に侵入する光を可溶体部３に向かって反射させる。傾斜面８２は、特許請求の範囲に記載の反射面を成している。
【００３８】
前述した構成のヒュージブルリンクユニット１Ａは、ハウジング７の開口部７ａよりハウジング７の短手方向に向けて、ヒューズ回路体６が端子部４を挿入先端として挿入されるようになっており、この挿入されたヒューズ回路体６が回路体収容室９内に収容されるとともに、ヒューズ回路体６の挿入先端である端子部４が回路体収容室９を通ってハウジング７の端子支持部１０及びコネクタハウジング部１１内に位置するように収容される。
【００３９】
ハウジング７の端子支持部１０に配設されたヒューズ回路体６の端子部４には、図示しないケーブルが接続された端子金具を介してビス止め用の孔に通されている。
【００４０】
前述のケーブルには、図示しない各種電装品が接続されており、ケーブルのヒューズ回路体６への接続により、ヒュージブルリンクユニット１Ａには、複数の電装品が接続されるようになっている。これにより、１つのヒュージブルリンクユニット１Ａが、複数の電装品を集中管理することとなる。
【００４１】
このようなヒュージブルリンクユニット１Ａにおいては、バッテリ電源から電装品に供給される電気回路中に過電流が流れると、ヒュージブルリンクユニット１Ａの可溶体部３が発熱によって溶断して、過電流から電気回路を保護する。
【００４２】
また、ハウジング７の短手方向が水平方向を向くように車体に搭載されているので、ハウジング７の上部から蓋体８Ａを介してハウジング７内に配されたヒューズ回路体６の可溶体部３の状態を目視できるようになっており、これにより、ヒュージブルリンクユニット１Ａの保守点検を行うことができる。
【００４３】
前述した本実施形態のヒュージブルリンクユニット１Ａは、図２に示すように、ハウジング７の短手方向が水平方向を向くように車体に載置されるいわゆる横置き型ヒュージブルリンクユニットとして構成されている。このため、前記ハウジング７内に収容された二つのヒューズ回路体６は、ハウジング７の短手方向に沿って水平方向を向くように積層配置されている。
【００４４】
さらに、ハウジング７内に積層配置された二つのヒューズ回路体６は、図２に示すように、回路体の間隔が小さく構成されており、二つのヒューズ回路体６が接近して配置されている。
【００４５】
そして、蓋体８Ａのハウジング７の厚さ（端子部４に直交する）方向に平行な側面に、ハウジング７内に突出し、かつ蓋体８Ａと一体に形成された突部８１に設けられた傾斜面８２によって、開口部７ａを通してハウジング７内に侵入する光を可溶体部３に向かって反射させることができ、このため、ハウジング７に収容され該ハウジング７内に積層配置された二つのヒューズ回路体６のうち図２中下側に配置された一方のヒューズ回路体６の可溶体部３を明るくすることによって、ヒューズ回路体６の可溶体部３が視認できるようになる。
【００４６】
また、ハウジング７に収容されたヒューズ回路体６を、ハウジング７の上部から蓋体８Ａを介して視認すると、突部８１に設けられた傾斜面８２により可溶体部３の反射像が開口部７ａへ反射されることとなり、前述した一方のヒューズ回路体６の可溶体部３が視認できるようになる。
【００４７】
さらに、突部８１に設けられた傾斜面８２が、可溶体部３の通電時の発熱による放射熱を外部へ反射することによって、ヒューズ回路体６の温度の上昇を抑制することができる。
【００４８】
また、傾斜面８２の表面が、蒸着メッキ処理などが施されて鏡面化されているため、開口部７ａに反射される可溶体部３の反射像が確実に視認できるようになる。
【００４９】
前述した本実施形態では、突部が蓋体８Ａと一体に設けられていたが、突部は蓋体８Ａと別部材として設けても良く、蓋体８Ａの、開口部７ａからハウジング７内に侵入する光を可溶体部３に向かって反射させるとともに可溶体部３の反射像を開口部７ａへ反射させることができる位置に取り付け可能であれば良い。
【００５０】
次に、本発明の第２の実施形態にかかるヒュージブルリンクユニット１Ｂを、図４乃至６を参照して説明する。また、第１実施形態と同一の構成部分には同一の符号を付して説明を省略する。
【００５１】
本発明のヒュージブルリンクユニット１Ｂは、図４に示すように、外壁の一部に開口部７ａを設けるとともに該開口部７ａを塞ぐ断面く字状に形成された蓋体８Ｂと、連結プレート部２と、該連結プレート部２の一側に連なった可溶体部３と、該可溶体部３に連結された端子部４と、を有し、該端子部４が可溶体部３を介して連結プレート部２に連結されてヒューズ回路体６を構成するとともに、二つのヒューズ回路体６がハウジング７の厚さ（端子部４と直交する）方向に積層配置されて収容されるハウジング７と、を備えている。
【００５２】
さらに、ハウジング７内に積層配置された二つのヒューズ回路体６のうち図５中下側に配置された一方の連結プレート部２（以下、符号２２で示す。）は、可溶体部３と端子部４との両表面に平行でかつ可溶体部３と連なった平行部２２ｄと、該平行部２２ｄから立設しかつ可溶体部３と端子部４との両表面と交差した交差部２２ｃ１とを一体に形成されている。
【００５３】
交差部２２ｃ１は、図５に示すように、可溶体部３に直交する方向に当該可溶体部３に連接されている。交差部２２ｃ１は、断面が可溶体部３から離れる方向に凹の曲面状に形成されている。さらに、交差部２２ｃ１の表面は、圧延加工や表面メッキ処理などが施されて鏡面化されている。そして、前述の交差部２２ｃ１は、開口部７ａを通してハウジング７内に侵入する光を反射させ可溶体部３に集光する。交差部２２ｃ１は、特許請求の範囲に記載の反射面を成している。
【００５４】
前述した本実施形態のヒュージブルリンクユニット１Ｂは、ハウジング７に積層配置された図４中下側に配置された一方のヒューズ回路体６を構成する連結プレート部２２の交差部２２ｃ１は、可溶体部３から離れる方向に凹の曲面状に形成されているため、開口部７ａを通してハウジング７内に侵入する光を可溶体部３に集光させることができ、このため、ハウジング７に収容された前述した一方のヒューズ回路体６の可溶体部３を明るくすることによって、ヒューズ回路体６の可溶体部３が視認できるようになる。
【００５５】
また、ハウジング７に収容されたヒューズ回路体６を、ハウジング７の上部から蓋体８Ｂを介して視認すると、連結プレート部２２の交差部２２ｃ１により可溶体部３の反射像が前記開口部７ａへ反射されることとなり、ヒューズ回路体６の可溶体部３が視認できるようになる。
【００５６】
さらに、連結プレート部２２の交差部２２ｃ１が可溶体部３の通電時の発熱による放射熱を外部へ拡散して反射することによって、ヒューズ回路体６の温度の上昇を抑制することができる。
【００５７】
また、交差部２２ｃ１の表面が、圧延加工や表面メッキ処理などが施されて鏡面化されているため、開口部７ａに反射される可溶体部３の反射像が確実に視認できるようになる。
【００５８】
続いて、本発明の第３の実施形態にかかるヒュージブルリンクユニット１Ｃを、図７又は８を参照して説明する。また、第１及び第２実施形態と同一の構成部分には同一の符号を付して説明を省略する。
【００５９】
本発明のヒュージブルリンクユニット１Ｃは、図７に示すように、外壁の一部に開口部７ａを設けるとともに該開口部７ａを塞ぐ断面く字状に形成された蓋体８Ｂと、連結プレート部２と、該連結プレート部２の一側に連なった可溶体部３と、該可溶体部３に連結された端子部４と、を有し、該端子部４が可溶体部３を介して連結プレート部２に連結されてヒューズ回路体６を構成するとともに、二つのヒューズ回路体６がハウジング７の厚さ（端子部４と直交する）方向に積層配置されて収容されるハウジング７と、を備えている。
【００６０】
本実施形態の図７又は図８中下側に配置された一方のヒューズ回路体６の交差部２２ｃ２は、図７に示すように、連結プレート部２２の可溶体部３に直交する方向に当該可溶体部３に連接されている。交差部２２ｃ２は、断面が可溶体部３に近づく方向に凸の曲面状に形成されている。さらに、交差部２２ｃ２は、表面が圧延加工や表面メッキ処理などが施されて鏡面化されている。そして、前述の交差部２２ｃ２は、開口部７ａを通してハウジング７内に侵入する光を反射させ可溶体部３に向かって当該光を拡散させる。交差部２２ｃ２は、特許請求の範囲に記載の反射面を成している。
【００６１】
前述した第３の実施形態のヒュージブルリンクユニット１Ｃは、ハウジング７に収容されたヒューズ回路体６を構成する連結プレート部２２の交差部２２ｃ２の断面が可溶体部３に近づく方向に凸の曲面状に形成されているため、開口部７ａを通してハウジング７内に侵入する光を可溶体部３に向かって反射させてハウジング７内に当該光を拡散することができ、このため、ハウジング７に収容されたヒューズ回路体６の可溶体部３を明るくするとともに、ハウジング７内の広い範囲を明るくすることで、ヒューズ回路体６の可溶体部３が視認できるようになる。
【００６２】
また、ハウジング７に収容されたヒューズ回路体６を、ハウジング７の上部から蓋体８Ｂを介して視認すると、連結プレート部２２の交差部２２ｃ２により、可溶体部３の反射像が交差部２２ｃ２の凸部中央で拡大して開口部７ａへ反射されることとなり、ヒューズ回路体６の可溶体部３が視認できるようになる。
【００６３】
さらに、交差部２２ｃ２の表面が、圧延加工や表面メッキ処理などが施されて鏡面化されているため、開口部７ａに反射される可溶体部３の反射像が確実に視認できるようになる。
【００６４】
なお、前述した実施形態は本発明の代表的な形態を示したに過ぎず、本発明は、実施形態に限定されるものではない。本発明の骨子を逸脱しない範囲で種々変形して実施することができる。
【図面の簡単な説明】
【００６５】
【図１】本発明の第１の実施形態にかかるヒュージブルリンクユニットを示す斜視図である。
【図２】図１中のＩＩ−ＩＩ線に沿う断面図である。
【図３】図２に示されたヒュージブルリンクユニットのヒューズ回路体を示す斜視図である。
【図４】本発明の第２の実施形態にかかるヒュージブルリンクユニットを示す斜視図である。
【図５】図４中のＩＩ−ＩＩ線に沿う断面図である。
【図６】図５に示されたヒュージブルリンクユニットのヒューズ回路体を示す斜視図である。
【図７】本発明の第３の実施形態にかかるヒュージブルリンクユニットを示す断面図である。
【図８】図７に示されたヒュージブルリンクユニットのヒューズ回路体を示す斜視図である。
【符号の説明】
【００６６】
１Ａ  １Ｂ  １Ｃ  ヒュージブルリンクユニット
２  連結プレート部
３  可溶体部
４  端子部
６  ヒューズ回路体
７  ハウジング
７ａ  開口部
８Ａ  ８Ｂ  蓋体
２２ｃ１  ２２ｃ２  交差部（反射面）
８２  傾斜面（反射面）
【図１】
0004755018.tif 000002
【図２】
0004755018.tif 000003
【図３】
0004755018.tif 000004
【図４】
0004755018.tif 000005
【図５】
0004755018.tif 000006
【図６】
0004755018.tif 000007
【図７】
0004755018.tif 000008
【図８】
0004755018.tif 000009